(57)【特許請求の範囲】
【請求項１】
運転者による運転の継続が困難であると判定された場合に自動退避制御が作動する車両に搭載され、前記運転者を除く前記車両の乗員によって視認可能な表示領域（１３ａ，７１３ａ，８１３ａ）の表示により当該乗員へ情報を提示する情報提示装置であって、
前記自動退避制御の作動情報を取得する作動情報取得部（３１）と、
前記自動退避制御が作動している場合に、前記表示領域に表示されて前記自動退避制御に係る情報を報知する乗員報知表示（１５０，２５０，７５０，８５０）を生成する表示生成部（３５）と、を備え、
前記乗員報知表示には、
前記自動退避制御によって実施される複数のプロセスのうちで、現在実行中のプロセスを説明する説明画像（１５２，２５２，３５２，６５２）と、
前記自動退避制御における現在の進捗度合いを示す進捗画像（１５１，２５１，３５１，４５１，６５１）と、が含まれることを特徴とする情報提示装置。
【請求項２】
前記表示領域としての第一表示領域とは異なる位置に規定され、前記運転者によって視認可能な第二表示領域（１２ａ，１４ａ）、の表示により前記運転者への報知を行う情報提示装置であって、
前記表示生成部は、前記作動情報が取得された場合に、前記第二表示領域に表示されて前記自動退避制御に係る情報を前記運転者へ報知する運転者報知表示（１４０，１４６，２４０）、をさらに生成することを特徴とする請求項１に記載の情報提示装置。
【請求項３】
前記自動退避制御が作動した場合の対処行動を案内する案内画像（１４３，１５３）が、前記運転者報知表示及び前記乗員報知表示のそれぞれに含まれることを特徴とする請求項２に記載の情報提示装置。
【請求項４】
前記自動退避制御が作動した場合の対処行動を案内する案内画像（２４３ｂ）が、前記運転者報知表示及び前記乗員報知表示のうちで、前記運転者報知表示のみに含まれることを特徴とする請求項２に記載の情報提示装置。
【請求項５】
前記運転者報知表示は、前記自動退避制御における現在の進捗度合いを示す進捗画像（１４１）、を含み、
前記乗員報知表示の進捗画像（１５１，３５１）に示されるプロセスの数と、前記運転者報知表示の進捗画像に示されるプロセスの数とが同一であることを特徴とする請求項２〜４のいずれか一項に記載の情報提示装置。
【請求項６】
前記運転者報知表示は、前記自動退避制御における現在の進捗度合いを示す進捗画像（１４１）、を含み、
前記乗員報知表示の進捗画像（４５１）に示されるプロセスの数は、前記運転者報知表示の進捗画像に示されるプロセスの数よりも多いことを特徴とする請求項２〜４のいずれか一項に記載の情報提示装置。
【請求項７】
前記乗員報知表示は、緑色系の背景部（５１ａ）を含み、
前記運転者報知表示は、赤色系の背景部（４２ａ，４７ａ）を含むことを特徴とする請求項２〜６のいずれか一項に記載の情報提示装置。
【請求項８】
前記進捗画像（１５１，３５１，４５１）は、現在実行中のプロセスを、明るい状態と暗い状態との周期的な繰り返しによって示し、
前記明るい状態の維持される時間は、前記暗い状態の維持される時間よりも長いことを特徴とする請求項１〜７のいずれか一項に記載の情報提示装置。
【請求項９】
前記説明画像（１５２，３５２）は、前記進捗画像に重ねて表示され、
前記進捗画像（１５１，３５１）は、前記説明画像の背景として周期的な明るさの変化を繰り返すことを特徴とする請求項８に記載の情報提示装置。
【請求項１０】
前記自動退避制御によって設定された予定走行経路を含む進行方向の範囲を撮影した撮像画像（１５４，２５４，６５４）を取得する画像取得部（３２）、をさらに備え
前記表示生成部は、前記撮像画像中の前記予定走行経路を明示する経路明示画像部（１５５）が重畳された当該撮像画像を、前記乗員報知表示に加えることを特徴とする請求項１〜９のいずれか一項に記載の情報提示装置。
【請求項１１】
前記作動情報が取得された場合に、前記車両に搭載された走行用前照灯（９５ａ）による照明を開始させる照明要求部（３３）、をさらに備えることを特徴とする請求項１〜１０のいずれか一項に記載の情報提示装置。
【請求項１２】
前記乗員報知表示は、前記車両を停車させる位置として前記自動退避制御によって設定された退避場所を、前記車両の周囲の道路形状と共に示すマップ画像（１５６，２５６，６５６）、をさらに含むことを特徴とする請求項１〜１１のいずれか一項に記載の情報提示装置。
【請求項１３】
前記乗員によって聞き取り可能な音声を再生する音声再生装置（１１２）と共に前記車両に搭載される情報提示装置であって、
前記自動退避制御によって実施されているプロセスが移行されたことに基づき、移行後のプロセスの内容を前記乗員に報知する音声を、前記音声再生装置によって再生させる再生要求部（３４）、をさらに備えることを特徴とする請求項１〜１２のいずれか一項に記載の情報提示装置。
【請求項１４】
前記表示領域は、運転席及び助手席が並ぶ前記車両の幅方向（ＷＤ）を長手とする形状とされ、
前記説明画像及び前記進捗画像は、前記表示領域のうちで前記助手席よりも前記運転席に近い範囲に表示されることを特徴とする請求項１〜１３のいずれか一項に記載の情報提示装置。
【請求項１５】
運転者による運転の継続が困難であると判定された場合に自動退避制御が作動する車両において、前記運転者を除く前記車両の乗員によって視認可能な表示領域（１３ａ，７１３ａ，８１３ａ）の表示により当該乗員へ情報を提示する情報提示方法であって、
少なくとも一つのプロセッサ（２１，２２）により実行されるステップとして、
前記自動退避制御の作動情報を取得する作動情報取得ステップ（Ｓ１３５，Ｓ１４３，Ｓ１４８）と、
前記自動退避制御が作動している場合に、前記表示領域に表示されて前記自動退避制御に係る情報を報知する乗員報知表示（１５０，２５０，６５０，７５０）を生成する表示生成ステップ（Ｓ１３６，Ｓ１４４，Ｓ１４９）と、を含み、
前記乗員報知表示には、
前記自動退避制御によって実施される複数のプロセスのうちで、現在実行中のプロセスを説明する説明画像（１５２，２５２，３５２，６５２）と、
前記自動退避制御における現在の進捗度合いを示す進捗画像（１５１，２５１，３５１，４５１，６５１）と、が含まれることを特徴とする情報提示方法。
【発明の詳細な説明】
【技術分野】
【０００１】
本発明は、表示によって車両の乗員へ情報を提示する情報提示装置及び情報提示方法に関する。
【背景技術】
【０００２】
従来、例えば特許文献１に開示の緊急退避装置のように、車両の運転者が運転困難な状態に陥った場合に、運転者に代わって車両を自動で停止させる技術が知られている。このような退避走行を実行可能な車両には、例えば緊急退避装置の作動情報等を運転者へ提示する運転支援ＨＭＩ（Human Machine Interface）が搭載されている。
【先行技術文献】
【特許文献】
【０００３】
【特許文献１】国際公開第２０１３／００８２９９号
【発明の概要】
【発明が解決しようとする課題】
【０００４】
さて、特許文献１に開示の運転支援ＨＭＩは、運転者に対する情報提示として、例えば退避走行を作動させるか否かの確認を行うことができる。しかし、特許文献１では、運転者を除く車両の乗員への情報提示は、何ら考慮されていない。そのため、車両が退避走行を開始した場合に、運転者を除く車両の乗員が強い不安を覚えるおそれがあった。
【０００５】
本発明は、このような問題に鑑みてなされたものであって、その目的は、自動退避制御によって走行している車両内の乗員の不安を和らげることが可能な技術を提供することである。
【課題を解決するための手段】
【０００６】
上記目的を達成するため、開示された一つの発明は、運転者による運転の継続が困難であると判定された場合に自動退避制御が作動する車両に搭載され、運転者を除く車両の乗員によって視認可能な表示領域（１３ａ，７１３ａ，８１３ａ）の表示により当該乗員へ情報を提示する情報提示装置であって、自動退避制御の作動情報を取得する作動情報取得部（３１）と、自動退避制御が作動している場合に、表示領域に表示されて自動退避制御に係る情報を報知する乗員報知表示（１５０，２５０，７５０，８５０）を生成する表示生成部（３５）と、を備え、乗員報知表示には、自動退避制御によって実施される複数のプロセスのうちで、現在実行中のプロセスを説明する説明画像（１５２，２５２，３５２，６５２）と、自動退避制御における現在の進捗度合いを示す進捗画像（１５１，２５１，３５１，４５１，６５１）と、が含まれることを特徴としている。
【０００７】
また、開示された他の一つの発明は、運転者による運転の継続が困難であると判定された場合に自動退避制御が作動する車両において、運転者を除く車両の乗員によって視認可能な表示領域（１３ａ，７１３ａ，８１３ａ）の表示により当該乗員へ情報を提示する情報提示方法であって、少なくとも一つのプロセッサ（２１，２２）により実行されるステップとして、自動退避制御の作動情報を取得する作動情報取得ステップ（Ｓ１３５，Ｓ１４３，Ｓ１４８）と、自動退避制御が作動している場合に、表示領域に表示されて自動退避制御に係る情報を報知する乗員報知表示（１５０，２５０，６５０，７５０）を生成する表示生成ステップ（Ｓ１３６，Ｓ１４４，Ｓ１４９）と、を含み、乗員報知表示には、自動退避制御によって実施される複数のプロセスのうちで、現在実行中のプロセスを説明する説明画像（１５２，２５２，３５２，６５２）と、自動退避制御における現在の進捗度合いを示す進捗画像（１５１，２５１，３５１，４５１，６５１）と、が含まれることを特徴としている。
【０００８】
これらの発明によれば、乗員報知表示に含まれる進捗画像により、複数のプロセスからなる自動退避制御における現在の進捗度合いが知らされる。故に、乗員は、自動退避制御の全体像と、自動退避制御の終わりをメージできるようになり得る。加えて、現在実行中のプロセスを説明画像によって乗員に説明することで、乗員は、運転者に依らないで走行する車両の動きを概ね予測し得る。これらにより、乗員報知表示は、自動退避制御によって走行している車両内の乗員の不安を和らげることが可能となる。
【０００９】
尚、上記括弧内の参照番号は、本発明の理解を容易にすべく、後述する実施形態における具体的な構成との対応関係の一例を示すものにすぎず、本発明の範囲を何ら制限するものではない。
【図面の簡単な説明】
【００１０】
【図１】自車両における運転席周辺のレイアウトを示す図である。
【図２】車載ネットワークの全体構成を示すブロック図である。
【図３】車両制御ＥＣＵの制御回路に構築される機能ブロックを示す図である。
【図４】運転者に異常が生じてから自動退避制御が開始されるまでの過程を説明するタイムチャートである。
【図５】運転者に異常が生じてから自動退避制御が開始されるまでの過程を説明するタイムチャートである。
【図６】自動退避制御が開始されてから緊急通報が行われるまでの過程を説明するタイムチャートである。
【図７】自動退避制御が開始されてから緊急通報が行われるまでの過程を説明するタイムチャートである。
【図８】ＨＣＵの制御回路に構築される機能ブロックを示す図である。
【図９】第一プレ退避制御に係る第一の報知において、コンビネーションメータの表示を示す図である。
【図１０】第一の報知において、ＨＵＤ装置によって投影される表示を示す図である。
【図１１】第二プレ退避制御に係る第二の報知において、コンビネーションメータの表示を示す図である。
【図１２】第二の報知において、ＨＵＤ装置によって投影される表示を示す図である。
【図１３】第二の報知におけるＣＩＤの表示を示す図である。
【図１４】自動退避制御の実行通知において、ＣＩＤの表示の推移を示す図である。
【図１５】自動退避制御の実行通知において、コンビネーションメータの表示の推移を示す図である。
【図１６】自動退避制御の実行通知において、ＨＵＤ装置によって投影される表示の推移を示す図である。
【図１７】車両制御ＥＣＵの制御回路によって実施される処理を示すフローチャートである。
【図１８】車両制御ＥＣＵの制御回路によって実施される処理を示すフローチャートである。
【図１９】ＨＣＵの制御回路によって実施される処理を示すフローチャートである。
【図２０】ＨＣＵの制御回路によって実施される処理を示すフローチャートである。
【図２１】ＨＣＵの制御回路によって実施される処理を示すフローチャートである。
【図２２】図１４の変形例を示す図である。
【図２３】図１５の変形例を示す図である。
【図２４】進捗画像及び説明画像の変形例を示す図である。
【図２５】進捗画像及び説明画像の別の変形例を示す図である。
【図２６】第五実施形態の車載ネットワークの全体構成を示すブロック図である。
【図２７】ＨＣＵの制御回路に構築される機能ブロックを示す図である。
【図２８】運転者に異常が生じてから自動退避制御が開始されるまでの過程を説明するタイムチャートである。
【図２９】自動退避制御が開始されてから緊急通報が行われるまでの過程を説明するタイムチャートである。
【図３０】ハザードスイッチが一回だけ操作された状態のＣＩＤの表示を示す図である。
【図３１】ハザードスイッチが一回だけ操作された状態のコンビネーションメータの表示を示す図である。
【図３２】進捗画像及び説明画像のさらに別の変形例を示す図である。
【図３３】乗員報知表示の変形例を示す図である。
【図３４】乗員報知表示の変形例を示す図である。
【発明を実施するための形態】
【００１１】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。そして、複数の実施形態及び変形例に記述された構成同士の明示されていない組み合わせも、以下の説明によって開示されているものとする。
【００１２】
（第一実施形態）
本発明が適用される第一実施形態のＨＣＵ２０は、図１及び図２に示すように、自車両Ａに搭載される電子装置である。ＨＣＵ２０は、自車両Ａに搭載される車載ネットワーク１に設けられた複数のノードのうちの一つとなる。車載ネットワーク１は、ＡＤＡＳロケータ９６、車載通信機９７、前照灯制御装置９５、外界認識システム９０、ＨＭＩシステム１０、及び車両制御システム６０等によって構成されている。これらの構成は、通信バス９９に接続されており、通信によって互いに情報をやり取りすることができる。
【００１３】
ＡＤＡＳ（Advanced Driver Assistance Systems）ロケータ９６は、ＧＮＳＳ（Global Navigation Satellite System）受信機、ジャイロセンサ等の慣性センサ、地図データを格納するメモリを備えている。ＡＤＡＳロケータ９６は、ＧＮＳＳ受信機によって受信する複数の人工衛星からの信号と、慣性センサの計測結果とを組み合わせることにより、自車両Ａの位置を測位する。ＡＤＡＳロケータ９６は、メモリから自車両前方の地図データを読み出し、カーブの曲率半径、回転角、開始位置等の道路情報を抽出する。ＡＤＡＳロケータ９６は、自車両Ａの位置情報と、前方の道路情報とを、通信バス９９へ出力する。
【００１４】
車載通信機９７は、無線通信のためのアンテナ９８と接続されている。車載通信機９７は、自車両Ａの周囲に位置する他の車両Ａ１（図６参照）の車載通信機との間で、無線通信による車車間通信を行うことができる。加えて車載通信機９７は、自車両Ａ外部の基地局との間にて、移動体通信を行うことができる。車載通信機９７は、通信バス９９上に出力された自車両Ａの情報を、他の車両Ａ１及びコールセンター等へ送信可能である。車載通信機９７は、他の車両Ａ１から受信した情報、及びコールセンター等から受信した情報を、通信バス９９へ出力可能である。
【００１５】
前照灯制御装置９５は、プロセッサ及びメモリを有するマイクロコンピュータを主体として構成されている。前照灯制御装置９５は、すれ違い用前照灯（ロービーム）、走行用前照灯（ハイビーム）９５ａ、ウィンカー（方向指示器）、ハザードランプ等の自車両Ａに搭載された複数の灯火器と接続されている。前照灯制御装置９５は、通信バス９９から取得する灯火要求情報に基づいて、各灯火器の作動を制御する。
【００１６】
外界認識システム９０は、前方カメラユニット９２及びレーダユニット９３，９４等の外界センサと、周辺監視ＥＣＵ９１とを備えている。外界認識システム９０は、歩行者、人間以外の動物、自転車、オートバイ、及び他の車両のような移動物体、さらに路上の落下物、交通信号、ガードレール、縁石、道路標識、道路標示、区画線、及び樹木のような静止物体を検出する。外界認識システム９０は、各ユニット９２〜９４に加えて、ライダ及びソナー等の外界センサを備えることが可能である。
【００１７】
前方カメラユニット９２は、例えば自車両Ａのバックミラー近傍に設置された単眼式、又は複眼式のカメラである。前方カメラユニット９２は、自車両Ａの進行方向を向けられており、例えば約４５度程度の水平視野角度で自車両Ａから約８０メートルの範囲を撮影できる。前方カメラユニット９２は、移動物体、静止物体、及び進行方向の道路等が写る撮像画像１５４（図１４Ａ参照）のデータを、周辺監視ＥＣＵ９１へ逐次出力する。
【００１８】
レーダユニット９３は、例えば自車両Ａのフロント部に設置されている。レーダユニット９３は、７７ＧＨｚ帯のミリ波を送信アンテナから自車両Ａの進行方向に向けて放出する。レーダユニット９３は、進行方向の移動物体及び静止物体等で反射されたミリ波を、受信アンテナによって受信する。レーダユニット９３は、例えば約５５度程度の水平走査角度で自車両Ａから約６０メートルの範囲を走査できる。レーダユニット９３は、受信信号に基づく走査結果を周辺監視ＥＣＵ９１へ逐次出力する。
【００１９】
レーダユニット９４は、例えば自車両Ａのフロント部及びリア部の各左右に、それぞれ設置されている。レーダユニット９４は、２４ＧＨｚ帯の準ミリ波を送信アンテナから自車両Ａの前後の側方へ向けて放出する。レーダユニット９４は、前側方及び後側方の移動物体及び静止物体等で反射された準ミリ波を、受信アンテナによって受信する。レーダユニット９４は、例えば約１２０度程度の水平走査角度で自車両Ａから約３０メートルの範囲を走査できる。レーダユニット９４は、受信信号に基づく走査結果を周辺監視ＥＣＵ９１へ逐次出力する。
【００２０】
周辺監視ＥＣＵ９１は、プロセッサ及びメモリを有するマイクロコンピュータを主体として構成されている。周辺監視ＥＣＵ９１は、前方カメラユニット９２及び各レーダユニット９３，９４と通信可能に接続されている。周辺監視ＥＣＵ９１は、各ユニット９２，９３から取得した情報を統合することにより、進行方向にある移動物体及び静止物体（以下、「検出物」）の相対位置等を検出する。加えて周辺監視ＥＣＵ９１は、レーダユニット９４から取得した情報により、前側方及び後側方にある検出物の相対位置等を検出する。
【００２１】
周辺監視ＥＣＵ９１は、自車両Ａの周囲を走行する前走車及び並走車の相対位置情報、及び自車両Ａの進行方向における区画線の形状情報等を、監視情報として通信バス９９へ出力する。周辺監視ＥＣＵ９１は、隣接する車線を走行する他の車両Ａ１（図６参照）の検出に基づいて、隣接車線への車線変更が可能であるか否かを判定し、判定結果を監視情報として通信バス９９へ出力する。周辺監視ＥＣＵ９１は、通信バス９９から探索要求情報を取得すると、ＡＤＡＳロケータ９６から取得した位置情報及び道路情報と、各ユニット９２，９３から取得した情報とを用いて、後述する自動退避制御において自車両Ａを停車させる退避位置を探索する。周辺監視ＥＣＵ９１は、探索によって設定した退避場所の位置情報を通信バス９９へ出力する。さらに周辺監視ＥＣＵ９１は、前方カメラユニット９２による撮像画像１５４（図１４Ａ参照）の画像データを、通信バス９９へ出力する。
【００２２】
ＨＭＩシステム１０は、コンビネーションメータ１２、ＣＩＤ１３、及びＨＵＤ装置１４等の複数の表示デバイスを備えている。加えてＨＭＩシステム１０は、音声による情報通知を行う音響デバイスとして、オーディオスピーカ１１２及び超音波スピーカ１１３等を備えている。さらにＨＭＩシステム１０には、複数の操作デバイス１５、ＤＳＭ（Driver Status Monitor）１１、及びＨＣＵ（HMI（Human Machine Interface）Control Unit）２０等が設けられている。ＨＭＩシステム１０は、運転席１７ｄに着座した自車両Ａの運転者、及び自車両Ａの他の乗員へ情報を提示する。
【００２３】
コンビネーションメータ１２は、自車両Ａの車室内にて運転席１７ｄの前方に配置されている。コンビネーションメータ１２は、液晶ディスプレイを有している。液晶ディスプレイには、運転席１７ｄに着座する運転者によって視認可能な表示画面１２ａが形成されている。コンビネーションメータ１２は、ＨＣＵ２０から取得した画像データに基づいて、スピードメータ４１等の画像を液晶ディスプレイの表示画面１２ａに表示する。
【００２４】
ＣＩＤ（Center Information Display）１３は、自車両Ａの車室内にてセンタクラスタの上方に配置され、インスツルメントパネル１９内に収容されている。ＣＩＤ１３は、液晶ディスプレイを有している。液晶ディスプレイには、運転者だけでなく、運転者を除く車両の乗員、例えば助手席１７ｐに着座する乗員にも視認可能な表示画面１３ａが形成されている。表示画面１３ａは、運転席１７ｄ及び助手席１７ｐが並ぶ自車両Ａの幅方向ＷＤを長手とする長手形状とされている。ＣＩＤ１３は、ＨＣＵ２０から取得した画像データに基づいて、ナビゲーションの案内画面、空調機器の操作画面、及びオーディオ機器の操作画面等を、液晶ディスプレイに表示する。
【００２５】
ＨＵＤ（Head-Up Display）装置１４は、ＨＣＵ２０から取得した画像データに基づく画像の光を、ウインドシールド１８に規定された投影領域１４ａへ投影する。ウインドシールド１８によって車室内側に反射された画像の光は、運転席１７ｄに着座する運転者によって知覚される。運転者は、ＨＵＤ装置１４によって投影された画像の虚像を、自車両Ａの前方の外界風景と重ねて視認可能となる。
【００２６】
オーディオスピーカ１１２は、自車両Ａのドアの内張り内に配置されることで、運転席１７ｄ及び助手席１７ｐの側方に位置している。オーディオスピーカ１１２は、自車両Ａの乗員全てによって聞き取り可能な音声を再生する。オーディオスピーカ１１２は、再生する音声によって全乗員への情報通知を行うことができる。
【００２７】
超音波スピーカ１１３は、自車両Ａの車室内にて、運転席１７ｄの前方且つウインドシールド１８の上方に、一対設置されている。超音波スピーカ１１３は、運転席１７ｄのヘッドレスト付近へ向けて、指向性の高い超音波を出力する。超音波スピーカ１１３は、空気中を伝搬する超音波に生じる歪みにより、可聴音を発生させる。超音波スピーカ１１３は、自車両Ａの乗員のうちで、運転席１７ｄに着座する運転者のみによって聞き取り可能な音声を再生する。超音波スピーカ１１３は、再生する音声によって運転者のみに情報通知を行うことができる。尚、超音波スピーカ１１３の設置位置は、ヘッドレスト付近へ向けて超音波を直接的に射出可能であれば、適宜変更可能である。超音波スピーカ１１３は、例えばウインドシールド１８側方のピラーの根本等に設置可能である。
【００２８】
操作デバイス１５には、ステアリングスイッチ１５ａ及びハザードスイッチ１５ｂが含まれている。ステアリングスイッチ１５ａは、自車両Ａのステアリングのスポーク部に配置されている。ステアリングスイッチ１５ａには、ＨＭＩシステム１０及び車両制御システム６０等の設定を変更する操作が運転者によって入力される。ハザードスイッチ１５ｂは、車室内に設けられたセンタクラスタに配置されている。ハザードスイッチ１５ｂには、自車両Ａのハザードランプを点滅させるための操作が運転者又は乗員によって入力される。ステアリングスイッチ１５ａ及びハザードスイッチ１５ｂは、操作の入力に基づく操作信号を、ＨＣＵ２０へ出力する。
【００２９】
ＤＳＭ１１は、近赤外光源及び近赤外カメラと、これらを制御する制御ユニット等とによって構成されている。ＤＳＭ１１は、近赤外カメラを運転席１７ｄ側に向けた姿勢にて、インスツルメントパネル１９の上面に配置されている。ＤＳＭ１１は、近赤外光源によって近赤外光を照射された運転者の顔を、近赤外カメラによって撮影する。近赤外カメラによる撮像画像は、制御ユニットによって画像解析される。制御ユニットは、例えば運転者の顔の向き及び目の開き具合等を、撮像画像から抽出する。制御ユニットによる解析により、運転者が正面を向いていない状態及び運転者の目が閉じた状態等を検知すると、ＤＳＭ１１は、運転者の異常を示す検知信号をＨＣＵ２０へ出力する。
【００３０】
ＨＣＵ２０は、メインプロセッサ２１、描画プロセッサ２２、書き換え可能な不揮発性のメモリ２３、情報の入出力を行う入出力インターフェース２４、及びこれらを接続するバス等を有する制御回路２０ａを備えている。ＨＣＵ２０は、各表示デバイス、各音響デバイス、操作デバイス１５、及びＤＳＭ１１等と接続されている。ＨＣＵ２０は、ステアリングスイッチ１５ａ及びハザードスイッチ１５ｂから出力される操作信号と、ＤＳＭ１１から出力される検知信号とを取得する。ＨＣＵ２０は、各表示デバイスに制御信号及び画像データを出力することにより、これら表示デバイスによる表示を制御する。ＨＣＵ２０は、各音響デバイスに音声データを出力することにより、これら音響デバイスに音声を再生させる。
【００３１】
車両制御システム６０は、アクセルポジションセンサ６１、ブレーキ踏力センサ６２、及び操舵トルクセンサ６３等の操作検出センサと、自車両Ａの走行状態を検出する車速センサ６４等とを備えている。加えて車両制御システム６０は、電子制御スロットル６６、ブレーキアクチュエータ６７、及びＥＰＳモータ６８等の走行制御デバイスと、車両制御ＥＣＵ７０とを備えている。車両制御システム６０は、運転者による運転操作、外界認識システム９０による監視情報、並びにＡＤＡＳロケータ９６による位置情報及び道路情報等に基づいて、自車両Ａの走行を制御する。
【００３２】
アクセルポジションセンサ６１は、運転者によるアクセルペダルの踏み込み量を検出し、車両制御ＥＣＵ７０へ出力する。ブレーキ踏力センサ６２は、運転者によるプレーキペダルの踏力を検出し、車両制御ＥＣＵ７０へ出力する。操舵トルクセンサ６３は、運転者によるステアリングの操舵トルクを検出し、車両制御ＥＣＵ７０へ出力する。車速センサ６４は、自車両Ａの現在の走行速度を検出し、車両制御ＥＣＵ７０へ出力する。
【００３３】
電子制御スロットル６６は、車両制御ＥＣＵ７０から出力される制御信号に基づき、スロットルの開度を制御する。ブレーキアクチュエータ６７は、車両制御ＥＣＵ７０から出力される制御信号に基づいたブレーキ圧の発生により、各車輪に発生させる制動力を制御する。ＥＰＳモータ（Electric Power Steering）６８は、車両制御ＥＣＵ７０から出力される制御信号に基づき、ステアリング機構に印加される操舵力及び保舵力を制御する。
【００３４】
車両制御ＥＣＵ（Electronic Control Unit）７０は、パワーユニット制御ＥＣＵ、ブレーキ制御ＥＣＵ、及び統合制御ＥＣＵ等のうち、統合制御ＥＣＵを少なくとも含む一種類又は複数種類である。車両制御ＥＣＵ７０は、プロセッサ７１、書き換え可能な不揮発性のメモリ７３、情報の入出力を行う入出力インターフェース７４、及びこれらを接続するバス等を有する制御回路７０ａを備えている。
【００３５】
車両制御ＥＣＵ７０は、各センサ６１〜６４及び各走行制御デバイスと接続されている。車両制御ＥＣＵ７０は、各センサ６１〜６４から出力される検出信号を取得し、各走行制御デバイスへ制御信号を出力する。加えて車両制御ＥＣＵ７０は、各センサ６１〜６４の検出信号を、車両情報として通信バス９９へ出力する。
【００３６】
車両制御ＥＣＵ７０は、自車両Ａの駆動力、制動力、及び操舵力等を制御することにより、運転者による運転操作の支援又は代行を行う複数の運転支援機能を備えている。運転支援機能には、巡航制御機能及び車線逸脱の防止機能が含まれている。車両制御ＥＣＵ７０は、運転者によるステアリングスイッチ１５ａへの操作の入力に基づき、これらの運転支援機能を起動させる。以下の説明では、便宜的に、巡航制御機能をＡＣＣ（Adaptive Cruise Control）と記載し、車線逸脱の防止機能をＬＫＡ（Lane Keeping Assist）と記載する。
【００３７】
ＡＣＣが有効にされると、車両制御ＥＣＵ７０は、周辺監視ＥＣＵ９１から取得する前走車の監視情報に基づいて駆動力及び制動力を調整することにより、自車両Ａの走行速度を制御する。前走車が検出されていない場合には、ＡＣＣは、運転者によって設定された目標速度で、自車両Ａを定速走行させる。一方、前走車が検出されている場合には、ＡＣＣは、前走車までの車間距離を維持しつつ、自車両Ａを前走車に対して追従走行させる。
【００３８】
ＬＫＡが有効にされると、車両制御ＥＣＵ７０は、周辺監視ＥＣＵ９１から取得する進行方向の区画線の形状情報に基づいて、操舵力及び保舵力を制御する。ＬＫＡは、区画線への接近を阻む方向への操舵力をステアリングに加えることで、自車両Ａを車線に沿って走行させる。尚、ＡＤＡＳロケータ９６によって出力される道路情報が、ＡＣＣ及びＬＫＡによる車両制御に用いられてもよい。
【００３９】
車両制御ＥＣＵ７０は、上述した運転支援機能による走行制御に加えて、運転者が運転を継続することが困難な状態（以下、「運転困難状態」）に陥った場合に、自車両Ａを自動で停車させる自動退避制御を実施できる。自動退避制御が開始されると、車両制御ＥＣＵ７０は、周辺監視ＥＣＵ９１に自車両Ａを停車させる退避場所を探索させる。車両制御ＥＣＵ７０は、周辺監視ＥＣＵ９１による探索によって設定された退避場所へ自車両Ａを移動させて、この退避場所に自車両Ａを停車させる。
【００４０】
さらに車両制御ＥＣＵ７０は、自動退避制御を開始する前に、上述した運転支援機能を自動で起動させることにより、運転者の運転操作を支援するプレ退避制御を実施できる。こうした制御を実現するため、車両制御ＥＣＵ７０の制御回路７０ａは、メモリ７３に記憶されたプログラムをプロセッサ７１によって実行することにより、複数の機能ブロック（８０〜８９）を構築する。以下、自動退避制御及びプレ退避制御に係る機能ブロックの詳細を、図３に基づき、図１及び図２を参照しつつ説明する。
【００４１】
異常情報取得部８１は、ＨＣＵ２０及び通信バス９９を介して、ＤＳＭ１１による検知情報を取得する。運転者の異常の検知が継続している場合、異常情報取得部８１は、ＤＳＭ１１から検知情報を取得し続ける。反応判定部８６は、ＤＳＭ１１にて検知される運転者の状態の変化に基づき、異常報知部８４等によって実施される報知に対して、運転者が反応したか否かを判定する。
【００４２】
操作受付部８８は、各センサ６１〜６３から出力される操作信号に基づいて、運転者による運転操作を受け付け可能である。操作受付部８８は、プレ退避制御の開始後、且つ、自動退避制御の開始前においては、運転者による運転操作を受け付ける。一方で、自動退避制御の開始後においては、操作受付部８８は、運転者による運転操作の受け付けを禁止する。操作受付部８８は、乗員によるハザードスイッチ１５ｂへの入力を検知した場合には、運転操作の受け付け禁止を解除する。
【００４３】
状態判定部８０は、運転者が異常状態にあるという仮判定及び正式判定と、運転者が運転困難状態にあるという判定と、を行うことができる。運転者の異常状態の仮判定は、異常状態の正式判定以前に実施される。異常状態の仮判定は、ＤＳＭ１１による異常の検知が第一閾値時間ＴＨ１（図４参照）継続した時点にて、実施される。第一閾値時間ＴＨ１は、ＤＳＭ１１の異常検知の分解能に依存して設定される。例えば、ＤＳＭ１１が０．１秒毎に検知を繰り返す構成であれば、異常の検知が連続して複数回（例えば３〜５回程度）続いた場合に、状態判定部８０は、仮判定を行う。この場合、第一閾値時間ＴＨ１は、０．３〜０．５秒となる。こうした第一閾値時間ＴＨ１の設定により、ＤＳＭ１１による異常状態の誤検知が排除され得る。
【００４４】
運転者の異常状態の正式判定は、異常状態の仮判定後、且つ、運転困難状態にあるとの判定以前に、運転者の異常検知の継続に基づき、行われる。異常状態の正式判定は、ＤＳＭ１１による異常の検知が第二閾値時間ＴＨ２（例えば２．０秒，図４参照）継続した時点にて、実施される。第二閾値時間ＴＨ２は、運転者による脇見の一般的な上限時間（約１．６秒）よりも長く設定されている。こうした第二閾値時間ＴＨ２の設定により、脇見を異常状態と誤判定する事態が回避される。
【００４５】
運転者が運転困難状態であるとの判定は、異常情報取得部８１によって取得される運転者の異常の検知がさらに継続した場合に、実施される。具体的には、異常状態の正式判定から予め設定された応答時間ＡＴ（３〜８秒，図４参照）が経過するまでの間に、運転者による応答操作が無い場合に、状態判定部８０は、運転者が運転困難状態であるいと判定する。
【００４６】
応答時間ＡＴは、ＨＭＩシステム１０からの異常検知の報知を認識した運転者が応答操作を入力するのに概ね十分な時間に設定されている。応答操作は、例えばステアリングスイッチ１５ａを押し込む操作である。また、運転困難状態にあるとの判定は、運転困難状態を確定する確定操作が応答時間ＡＴの間に有った場合にも、実施される。確定操作は、例えば応答操作とは異なるステアリングスイッチ１５ａを押し込む操作である。
【００４７】
退避制御部８２は、状態判定部８０によって運転者が運転困難状態と判定されたことに基づき、自動運転制御を開始する。退避制御部８２は、電子制御スロットル６６、ブレーキアクチュエータ６７、及びＥＰＳモータ６８等の走行制御デバイスを統合制御することにより、周辺監視ＥＣＵ９１にて設定された退避場所までの予定走行経路に従って自車両Ａを移動させる。そして、退避制御部８２は、退避場所に自車両Ａを停車させる。
【００４８】
支援制御部８３は、異常が検知されたときから運転困難状態と判定されるまでの間に、ＬＫＡを少なくとも含む運転支援機能による制御（運転支援制御）を開始する。支援制御部８３は、運転者の異常の検知後、運転支援制御に含まれる複数の支援機能のうちで、ＬＫＡを他の支援機能よりも先に作動させる。
【００４９】
詳記すると、支援制御部８３は、異常状態であると正式判定される以前の仮判定に基づき、ＬＫＡを作動させる。その後、支援制御部８３は、異常状態であると正式判定されたことに基づき、ＬＫＡとは異なる他の支援機能としてＡＣＣを作動させる。支援制御部８３は、運転支援制御の開始後に、操作受付部８８によって運転操作が受け付けられた場合には、運転支援制御を停止する。
【００５０】
異常報知部８４及び移行報知部８５は、ＨＣＵ２０へ出力する報知要求情報により、ＨＭＩシステム１０の各表示デバイス及び各音響デバイスを制御する。異常報知部８４は、異常状態の仮判定に伴う運転支援制御の開始に基づき、ＤＳＭ１１によって検知された異常の内容（例えば、姿勢崩れ等）を、表示デバイスによって運転者に報知する。移行報知部８５は、異常状態の正式判定に基づき、自動退避制御への移行を各表示デバイス及び各音響デバイスによって運転者に予告する。
【００５１】
探索制御部８７は、周辺監視ＥＣＵ９１へ出力する探索要求情報により、自動退避制御において自車両Ａを停車させる退避場所を、周辺監視ＥＣＵ９１に探索させる。探索制御部８７は、運転者の異常が検知された後、状態判定部８０によって運転困難状態と判定される以前に、周辺監視ＥＣＵ９１に退避場所の探索を開始させることができる。具体的に、周辺監視ＥＣＵ９１は、異常状態の正式判定に基づいて退避場所の探索を開始する。
【００５２】
車外報知部８９は、状態判定部８０によって運転困難状態であると判定された場合に、自車両Ａの周囲を走行する他の車両Ａ１（図６参照）に警戒を促すための処理を開始する。車外報知部８９は、車載通信機９７へ出力する送信要求情報により、自車両Ａの運転者が運転困難状態にある旨の情報を、他の車両Ａ１に送信させる。加えて、車外報知部８９は、前照灯制御装置９５へ出力する灯火要求情報により、自車両Ａのハザードランプを点滅させると共に、走行用前照灯９５ａの点灯を開始させる。以上の処理により、自車両Ａの運転者が運転困難状態にあることが、他の車両Ａ１の運転者及び乗員に報知される。
【００５３】
以上の構成により、運転者が運転困難状態に陥った自車両Ａを車両制御システム６０が自動操縦により停車させるまでの複数のプロセスを説明する。まず、図４及び図５に示すタイムチャートに基づき、図２を参照しつつ、自動退避制御が開始されるまでのプレ退避制御（Ｔ１〜Ｔ６）の作動を順に説明する。
【００５４】
運転者の意識が喪失することにより（Ｔ１）、その後、運転者には姿勢崩れが発生する（Ｔ２）。姿勢崩れは、ＤＳＭ１１によって即座に検知可能である。姿勢崩れが第一閾値時間ＴＨ１継続すると、車両制御ＥＣＵ７０は、異常状態の仮判定する（Ｔ３）。この仮判定に基づき、第一のプレ退避制御として、ＬＫＡの作動が開始される。加えて、車両制御ＥＣＵ７０からＨＣＵ２０へ出力される報知要求情報により、仮判定に基づく第一の報知がＨＭＩシステム１０によって実施される。
【００５５】
姿勢崩れが第二閾値時間ＴＨ２継続すると、車両制御ＥＣＵ７０は、異常状態を正式判定する（Ｔ４）。この正式判定に基づき、第二のプレ退避制御として、ＬＫＡと共にＡＣＣの作動が開始される。加えて、周辺監視ＥＣＵ９１による退避場所の探索が開始される。さらに、車両制御ＥＣＵ７０からＨＣＵ２０へ出力される報知要求情報により、第二の報知がＨＭＩシステム１０により実施される。
【００５６】
第二の報知では、自動退避制御の実施の可否が運転者に問い合わせされる。第二の報知に対して、正常状態にある運転者は、「Ｙｅｓ」に相当するステアリングスイッチ１５ａを操作可能である。こうした応答操作により、自動退避制御への移行は、解除される。一方、軽度の運転困難状態にある運転者は、「Ｎｏ」に相当するステアリングスイッチ１５ａを操作可能である。こうした確定操作により、応答時間ＡＴの経過を待つことなく、自動退避制御への移行が強制的に実施される。
【００５７】
正式判定から応答時間ＡＴが経過する以前に、車両制御ＥＣＵ７０は、自車両Ａを緩減速させる制動制御を開始する（Ｔ５）。そして、応答時間ＡＴの経過に基づき、車両制御ＥＣＵ７０は、運転者が運転困難状態にあると確定判定する（Ｔ６）。運転困難状態の確定に基づき、車両制御ＥＣＵ７０は、自車両Ａの制御モードをプレ退避制御から自動退避制御へと移行させる。
【００５８】
次に、自動退避制御が開始された後（Ｔ６〜Ｔ１３）、自動運転によって退避場所まで自車両Ａを移動させる一連のプロセスを、図６及び図７に示すタイムチャートに基づき、図２を参照しつつ、順に説明する。
【００５９】
自動退避制御が開始されることにより（Ｔ６）、車両制御ＥＣＵ７０は、設定プロセスを開始する。設定プロセスでは、自車両Ａを停車させる退避場所と、退避場所までの予定走行経路とが設定される。退避場所及び予定走行経路の設定は、車両制御ＥＣＵ７０が実施してもよく、周辺監視ＥＣＵ９１によって設定された退避場所及び予定走行経路の少なくとも一方を車両制御ＥＣＵ７０が取得してもよい。設定プロセスでは、運転困難状態を確定する判定に基づき、周辺を走行する他の車両Ａ１へ運転困難状態を報知するための処理を行う。こうした処理としては、車載通信機９７への送信要求情報に基づく車車間通信による警告配信、ハザードランプの点滅、及び走行用前照灯９５ａの点灯等が実施される。さらに、車両制御ＥＣＵ７０からＨＣＵ２０へ出力される報知要求情報に基づき、自動退避制御の実行通知がＨＭＩシステム１０により実施される。
【００６０】
退避場所及び移動経路の設定が完了すると（Ｔ７）、車両制御ＥＣＵ７０は、自動退避制御のプロセスを移動プロセスへと移行する。移動プロセスでは、予定走行経路に基づく自車両Ａの移動が行われる。加えて移動プロセスでは、必要に応じて隣接車線への車線変更が行われる。移動先の車線を他の車両Ａ１が走行している場合、車線変更の不可判定に基づき、車線変更は、待機状態とされる。その後、車線変更の不可判定が解除されると、隣接車線への車線変更が開始される（Ｔ８）。車線変更が完了すると、車両制御ＥＣＵ７０は、停止容易な速度まで自車両Ａを緩やかに減速させる。
【００６１】
自車両Ａの走行速度が所定の速度（例えば５０ｋｍ／ｈ）まで低下すると（Ｔ１０）、車両制御ＥＣＵ７０は、自動退避制御のプロセスを停車プロセスへと移行する。停車プロセスでは、車両制御ＥＣＵ７０は、自車両Ａを走行車線から離脱させる。車両制御ＥＣＵ７０は、路肩及び路側帯等へ退避した自車両Ａに制動力を作用させて、目的としていた退避場所に自車両Ａを停車させる（Ｔ１１）。
【００６２】
自車両Ａを退避場所に停車させると、車両制御ＥＣＵ７０は、自動退避制御のプロセスをコールプロセスへと移行する（Ｔ１２）。コールプロセスでは、予め設定されたコールセンターへの連絡が行われる。そして、コールセンターへの連絡が完了すると、車両制御ＥＣＵ７０は、自動退避制御を終了する（Ｔ１３）。
【００６３】
以上のプレ退避制御及び自動退避制御では、第一の報知、第二の報知、及び実行通知といったＨＭＩシステム１０による情報の提示が運転者及び乗員に対して行われる。特に、実行通知によれば、設定プロセスから移動プロセスへの移行、移動プロセスから停車プロセスへの移行、及び停車プロセスからコールプロセスへの移行は、ＨＭＩシステム１０によって自車両Ａの乗員に報知される。こうした情報提示等のために、図２に示すＨＣＵ２０の制御回路２０ａは、メモリ２３に記憶されたプログラムを各プロセッサ２１，２２によって実行することにより、複数の機能ブロック（３１〜３６）を構築する。以下、これらの機能ブロックの詳細を、図８に基づき、図１及び図２を参照しつつ説明する。
【００６４】
情報取得部３１は、通信バス９９へ出力された種々の情報を取得する。具体的に、情報取得部３１は、車両制御ＥＣＵ７０によって通信バス９９へ出力される走行速度等の車両情報、各報知の実施を指示する報知要求情報、運転支援機能及び自動退避制御それぞれの作動情報等を取得する。運転支援機能の作動情報には、ＡＣＣ及びＬＫＡが起動しているか否かといった情報が含まれている。自動退避制御の作動情報には、自動退避制御において実施されている複数のプロセスのうちで、現在実施中のプロセスを示す情報、退避場所及び予定走行経路を示す情報等が含まれている。
【００６５】
画像取得部３２は、周辺監視ＥＣＵ９１によって通信バス９９へ出力される撮像画像１５４（図１４参照）のデータを取得する。撮像画像１５４は、前方カメラユニット９２によって撮影された進行方向のカメラ画像である。撮像画像１５４には、自動退避制御によって設定される予定走行経路が含まれている。
【００６６】
照明要求部３３は、車外報知部８９（図３参照）と同様に、前照灯制御装置９５への灯火要求情報を出力することにより、走行用前照灯９５ａの作動を制御する。照明要求部３３は、自動退避制御の作動情報が取得された場合に、前照灯制御装置９５によって走行用前照灯９５ａによる照明を開始させる。これにより、外光が少ない夜間及びトンネル内においても予定走行経路が視認可能になる。加えて撮像画像１５４（図１４参照）には、予定走行経路が明確に撮影されるようになる。
【００６７】
再生要求部３４は、オーディオスピーカ１１２及び超音波スピーカ１１３へ音声データを出力することで、各スピーカ１１２，１１３に音声を再生させる。再生要求部３４は、自動退避制御によって実施されているプロセスが移行されたことに基づき、全乗員に聞こえるように、移行後のプロセスの内容を乗員に報知する音声を再生させる。
【００６８】
表示生成部３５は、コンビネーションメータ１２の表示画面１２ａ、ＣＩＤ１３の表示画面１３ａ、及びＨＵＤ装置１４の投影領域１４ａの各表示を生成する。表示生成部３５は、プレ退避制御が作動している場合に、第一の報知及び第二の報知の各表示を生成する（図９〜図１３参照）。加えて表示生成部３５は、自動退避制御が作動している場合に、表示画面１３ａに表示される乗員報知表示１５０（図１４参照）と、表示画面１２ａ及び投影領域１４ａにそれぞれ表示される運転者報知表示１４０，１４６（図１５及び図１６参照）とを生成する。
【００６９】
緊急通報部３６は、自動退避制御によって退避場所への移動及び停車が完了した後、予め設定されたコールセンターへ緊急の連絡を行う。緊急通報部３６は、自車両Ａの現在位置等を取得し、車載通信機９７を通じて、コールセンターに取得した情報を送信することができる。
【００７０】
以上のプレ退避制御及び自動退避制御の実行中における運転者及び乗員への情報提示として、各表示デバイスの表示の詳細と、各音響デバイスによる音声の詳細とを説明する。まず、プレ退避制御における第一の報知及び第二の報知の詳細を、図９〜図１３に基づいて説明する。
【００７１】
異常状態の仮判定（図５のＴ３参照）に基づく第一の報知においては、コンビネーションメータ１２は、図９に示すように、ＬＫＡの作動を示すインジケータ４１ａを、他の表示に加えて表示画面１３ａに表示する。ＨＵＤ装置１４は、図１０に示すように、ＬＫＡの作動を示すインジケータ４６ａと、姿勢崩れの検知を示す姿勢崩れアイコン４５とを、投影領域１４ａに投影する。加えて、姿勢崩れの検知を運転者に通知する通知音が超音波スピーカ１１３によって再生される。
【００７２】
異常状態の正式判定（図５のＴ４参照）に基づく第二の報知において、コンビネーションメータ１２は、図１１に示すように、ＬＫＡのインジケータ４１ａに加え、ＡＣＣの作動を示すインジケータ４１ｂ及びメッセージ画像４２を、表示画面１２ａに表示する。メッセージ画像４２は、検知された異常の内容及び自動退避制御への移行予告を、文字によって運転者に報知する画像である。メッセージ画像４２は、自動退避制御への移行を解除するための操作、及び自動退避制御への強制移行を開始するための操作、を文字によって運転者に報知する。メッセージ画像４２の背景部４２ａは、対応できる状態にある又は対応できる状態に回復した運転者に対してアクションを促すために、緊急感を惹起させるアンバー（橙色）又は赤色等、赤色系の色で表示される。
【００７３】
第二の報知としてＨＵＤ装置１４（図１参照）は、図１２に示すように、ＬＫＡのインジケータ４６ａに加えて、ＡＣＣの作動を示すインジケータ４６ｂを、投影領域１４ａの下縁エリアに投影する。加えてＨＵＤ装置１４は、姿勢崩れアイコン４５に加えて、メッセージ画像４７及び操作アイコン４８を、投影領域１４ａの中央エリアに投影する。メッセージ画像４７は、コンビネーションメータ１２に表示されるメッセージ画像４２（図８参照）と同様に、検知された異常の内容と、自動退避制御への移行予告とを、文字によって運転者に報知する。メッセージ画像４７の背景部４７ａは、コンビネーションメータ１２の背景部４２ａ（図１１参照）と同様に、赤色系の色で表示される。操作アイコン４８は、自動退避制御への移行解除及び自動退避制御への強制移行がステアリングスイッチ１５ａ（図１参照）への操作によって可能である旨を、運転者に報知する。
【００７４】
第二の報知としてＣＩＤ１３は、図１３に示すように、姿勢崩れアイコン５０及びメッセージ画像５１を表示画面１３ａに表示する。姿勢崩れアイコン５０及びメッセージ画像５１は、投影領域１４ａに投影される姿勢崩れアイコン４５及びメッセージ画像４７（図９参照）と実質同じ形状である。ＣＩＤ１３による表示は、運転者以外の自車両Ａ（図１参照）の乗員によっても視認可能である。そのため、メッセージ画像５１の背景部５１ａの色は、運転者へ向けられる各メッセージ画像４２，４７の各背景部４２ａ，４７ａの色とは異なっている。具体的に、メッセージ画像５１の背景部５１ａは、乗員に安心感を与えることができるように、緑色系の色で表示される。
【００７５】
加えて第二の報知では、正式判定に基づく通知音が、オーディオスピーカ１１２により乗員に向けて再生される。オーディオスピーカ１１２は、自動運転制御への移行を予告するガイド音声を、通知音の後に、乗員に向けて発話する。オーディオスピーカ１１２は、例えば「姿勢崩れを検出しました。まもなく退避走行に移行します。解除する場合は、ステアリングのスイッチを押して下さい」といったメッセージを再生する。
【００７６】
次に、自動退避制御における実行通知の詳細を、図１４〜図１６に基づいて説明する。尚、図１４及び図１５の各進捗画像１５１，１４１において、ドットの記載された範囲が消灯状態を示し、白抜きとされた範囲が点灯状態を示している。
【００７７】
運転困難状態の確定判定（図７のＴ６参照）に基づく実行通知においては、ＣＩＤ１３は、図１４に示すように、乗員報知表示１５０を表示画面１３ａに表示する。乗員報知表示１５０は、自動退避制御の作動情報が情報取得部３１（図８参照）によって取得された場合に、自動退避制御に係る情報を主に助手席１７ｐ（図１参照）に着座する乗員に報知する表示である。図１４Ａ〜図１４Ｄはそれぞれ、設定プロセス、移動プロセス、停車プロセス、及びコールプロセスにおける乗員報知表示１５０の態様を示しいている。乗員報知表示１５０は、表示画面１３ａと同様に横長形状とされている。乗員報知表示１５０には、進捗画像１５１、説明画像１５２、メッセージ画像１５３、撮像画像１５４、及びマップ画像１５６が含まれている。
【００７８】
進捗画像１５１は、円形状に形成された画像である。進捗画像１５１は、周方向に複数（四つ）に領域を分割されている。進捗画像１５１は、現在実行中のプロセスに対応した領域を、明るい状態と暗い状態との周期的な繰り返し（点滅）によって示している。そして、一つのプロセスが完了すると、進捗画像１５１は、完了したプロセスに対応する特定の領域を通知音に合わせて短く明滅させる。その後、進捗画像１５１は、終了したプロセスに対応する領域を、点灯状態のまま維持する。
【００７９】
以上によれば、自動退避制御のプロセスが進むことにより、進捗画像１５１は、点滅状態とする領域を時計回りに移動させると共に、点灯状態とする領域を一つずつ増加させる。こうした表示により、進捗画像１５１は、自動退避制御における現在の進捗度合いを、段階的に示すことができる。加えて、プロセスの完了に伴う明滅により、進捗画像１５１は、プロセスが完了したことを乗員に知らせて、安心感を抱かせることができる。
【００８０】
さらに、実行中のプロセスに対応する特定の一つの領域は、説明画像１５２の背景として、点滅表示を行うことができる。点滅状態にある領域においては、明るい状態の維持される時間（例えば０．７秒）が、消灯によって暗い状態の維持される時間（０．３秒）よりも長く設定されている。各領域を点滅させる周期（例えば１．０秒）は、人間の通常時の心拍数と同程度に設定されている。
【００８１】
説明画像１５２は、自動退避制御によって実施される複数のプロセスのうちで、現在実行中のプロセスを文字によって説明する画像である。具体的に、説明画像１５２は、「退避経路設定」、「退避場所移動」、「退避場所停車」及び「緊急コール」といった文字群を表示する。説明画像１５２は、各文字群を、進捗画像１５１の各領域に一つずつ重ねて表示させている。説明画像１５２及び進捗画像１５１は、表示画面１３ａのうちで、助手席１７ｐ（図１参照）よりも運転席１７ｄ（図１参照）に近い範囲に表示されている。
【００８２】
メッセージ画像１５３は、自動退避制御によって現在走行していることと、実行中の自動退避制御への対処行動とを、文字によって案内する画像である。具体的に、メッセージ画像１５３は、例えば「退避走行中」というメッセージと、自動退避制御を中止するための操作方法とを含んでいる。メッセージ画像１５３は、表示画面１３ａの上縁エリアに表示される。メッセージ画像１５３は、コールプロセスへの移行に伴い、自動退避制御による走行を通知するメッセージ（図１４Ａ〜図１４Ｃ）から、緊急通報の実施を通知するメッセージ（図１４Ｄ）へと、内容を変更される。尚、緊急通報が完了した後は、例えば「車外へ出ることは控えて下さい」といった車内に留まることを推奨するメッセージ画像に変更されてもよい。
【００８３】
撮像画像１５４は、前方カメラユニット９２（図２参照）によって撮影された画像である。撮像画像１５４には、自動退避制御によって走行予定の予定走行経路が写されている。撮像画像１５４には、矢印状に形成された経路明示画像部１５５が重畳されている。経路明示画像部１５５は、自動退避制御によって設定された予定走行経路の情報に基づいて描画されている。経路明示画像部１５５は、撮像画像１５４に写る予定走行経路を明示することができる。撮像画像１５４は、マップ画像１５６と水平方向に並べて表示されている。
【００８４】
マップ画像１５６は、自動退避制御によって設定された退避場所を、自車両Ａ（図１参照）の周囲の道路形状と共に乗員へ示す画像である。具体的に、マップ画像１５６には、自車両Ａの位置を示す自車アイコン１５６ａと、自車両Ａの周囲の道路形状を示す道路画像部１５６ｂと、退避場所を示す停車アイコン１５６ｃとが表示される。マップ画像１５６は、表示画面１３ａのうちで、撮像画像１５４よりも助手席１７ｐ側に表示されている。
【００８５】
実行通知としてコンビネーションメータ１２は、図１５に示すように、運転者報知表示１４０を表示画面１２ａに表示する。運転者報知表示１４０は、自動退避制御に係る情報を運転席１７ｄ（図１参照）に着座する運転者に報知する表示である。図１５Ａ〜図１５Ｄはそれぞれ、設定プロセス、移動プロセス、停車プロセス、及びコールプロセスにおける運転者報知表示１４０の態様を示しいている。運転者報知表示１４０は、コンビネーションメータ１２の通常表示に重畳されるかたちで、表示画面１２ａに表示される。運転者報知表示１４０には、進捗画像１４１、説明画像１４２、及び案内画像１４３が含まれている。
【００８６】
進捗画像１４１は、乗員報知表示１５０の進捗画像１５１（図１４参照）と実質同一形態の画像であって、自動退避制御のプロセスの移行に伴って、点滅状態とする領域を時計回りに移動させる。こうした表示により、進捗画像１４１は、自動退避制御における現在の進捗度合いを示すことができる。説明画像１４２は、乗員報知表示１５０の説明画像１５２（図１４参照）と実質同一形態の画像であって、進捗画像１４１に重ねられている。進捗画像１４１及び説明画像１４２は、表示画面１２ａの中央に配置されている。第一実施形態では、乗員報知表示１５０の進捗画像１５１に示されるプロセスの数と、運転者報知表示１４０の進捗画像１４１に示されるプロセスの数とは、互いに同一に設定されている。
【００８７】
案内画像１４３は、乗員報知表示１５０のメッセージ画像１５３（図１４参照）と同様に、実行中の自動退避制御への対処行動を、文字によって案内する画像である。案内画像１４３は、表示画面１２ａにおいて、例えば進捗画像１４１及び説明画像１４２の右側に配置されている。案内画像１４３は、コールプロセスへの移行に伴い、自動退避制御の中止方法を記載したメッセージ（図１５Ａ〜図１５Ｃ）から、緊急コールの実施を示すアイコン（図１５Ｄ）へと変更される。
【００８８】
実行通知としてＨＵＤ装置１４（図１参照）は、図１６に示すように、運転者報知表示１４６を投影領域１４ａに表示する。運転者報知表示１４６は、自動退避制御に係る情報を、コンビネーションメータ１２の運転者報知表示１４０（図１５参照）と共に運転者に報知する表示である。図１６Ａ〜図１６Ｄはそれぞれ、設定プロセス、移動プロセス、停車プロセス、及びコールプロセスにおける運転者報知表示１４６の態様を示しいている。運転者報知表示１４６には、メッセージ画像１４８が少なくとも含まれている。
【００８９】
メッセージ画像１４８は、乗員報知表示１５０のメッセージ画像１５３（図１４参照）と同様に、現在自動退避制御によって走行中であることを、文字によって案内する画像である。メッセージ画像１４８は、投影領域１４ａの下縁エリアに表示される。メッセージ画像１４８は、コールプロセスへの移行に伴い、自動退避制御による走行を通知するメッセージ（図１６Ａ〜図１６Ｃ）から、緊急通報の実施を通知するメッセージ（図１６Ｄ）へと、内容を変更される。
【００９０】
加えて実行通知では、自動退避制御のプロセスの移行に伴って、通知音と音声メッセージが図１に示すオーディオスピーカ１１２によって再生される。実行通知の開始時には、オーディオスピーカ１１２は、「退避走行を開始します」という音声を再生する（図７のＴ６，音声１）。加えて、オーディオスピーカ１１２は、退避場所及び予定走行経路の設定が完了すると、「退避場所を設定しました」という音声を再生する。
【００９１】
設定プロセスから移動プロセスへの移行時には、「退避場所へ移動します」という音声が再生される（図７のＴ７，音声２）。移動プロセスにおいて車線変更が開始されるときには、「車線変更を開始します。中止する場合はハザードスイッチを二回押して下さい。周囲の車に退避走行を通知しています」という音声が再生される（図７のＴ８，音声３）。そして、車線変更が完了すると、「車線変更を完了しました」という音声が再生される（図７のＴ９，音声４）。
【００９２】
移動プロセスから停車プロセスへの移行時には、「間もなく安全な場所に停車します」という音声が再生される（図７のＴ１０，音声５）。そして、退避場所に停車すると、「退避場所に停車しました」という音声が再生される（図７のＴ１１，音声６）。さらに、停車プロセスからコールプロセスへの移行時には、「コールセンターに退避場所を連絡しました」という音声が再生される（図７のＴ１２，音声７）。
【００９３】
次に、自動退避制御の開始までに制御回路７０ａによって実施される処理の詳細を、図１７及び図１８に基づき、図１及び図２を参照しつつ説明する。図１７及び図１８のフローチャートに示される処理は、セレクターレバー１６（図１参照）のＤレンジへの切り替えにより自車両Ａが走行可能になったことに基づいて、制御回路７０ａによって開始される。
【００９４】
Ｓ１０１では、ＤＳＭ１１によって検知された情報に基づいて、運転者に異常の可能性があるか否かを判定する。第一閾値時間ＴＨ１を超えて異常検知が継続されていた場合には、Ｓ１０１にて、運転者が異常の可能性があるという仮判定（図４  Ｔ３）を行い、Ｓ１０２へ進む。Ｓ１０２では、ＨＭＩシステム１０を用いて第一の報知を実施し、Ｓ１０３へ進む。一方で、異常検知が第一閾値時間ＴＨ１を超えない場合、Ｓ１０１を繰り返し、運転者の監視を継続する。
【００９５】
Ｓ１０３では、運転支援機能が作動中であるか否かを判定する。ＬＫＡ及びＡＣＣが共に作動している場合、Ｓ１０７へ進む。一方で、ＬＫＡ及びＡＣＣの少なくとも一方が作動していない場合、Ｓ１０４へ進む。Ｓ１０４では、第一プレ退避制御の開始によってＬＫＡを作動させて、Ｓ１０５へ進む。
【００９６】
Ｓ１０５では、ＤＳＭ１１によって検知された情報に基づいて、運転者が異常状態にあるか否かを判定する。異常検知が第二閾値時間ＴＨ２を超えて継続していない場合には、Ｓ１１３へ進む。
【００９７】
Ｓ１１３では、ＤＳＭ１１の検知情報に基づく運転姿勢、及び操舵トルクセンサ６３による操舵力等から、運転者が正しく運転可能な状態か否かを判定する。Ｓ１１３にて、運転者の運転姿勢が十分に改善されていない場合、及び正しくステアリング操舵を行っていない場合には、Ｓ１１４へ進む。Ｓ１１４では、例えば脇見などを注意喚起するような表示を実施し、Ｓ１１３へ戻る。一方で、Ｓ１１３にて、運転姿勢の改善及び操舵トルクの復帰等が確認できた場合には、Ｓ１１５へ進む。Ｓ１１５では、ＬＫＡを停止させることでマニュアル運転へ移行させ、Ｓ１０１へ戻る。
【００９８】
一方で、Ｓ１０５にて、第二閾値時間ＴＨ２を超えて異常検知が継続されていた場合には、運転者が異常状態にあるという正式判定（図４  Ｔ４）を行い、Ｓ１０６へ進む。Ｓ１０６では、第二プレ退避制御の開始によりＡＣＣをさらに作動させて、Ｓ１０８へ進む。
【００９９】
Ｓ１０７では、Ｓ１０５と同様に、運転者が異常状態にあるか否かを判定する。異常検知が第二閾値時間ＴＨ２を超えて継続していない場合には、Ｓ１０１へ戻る。一方で、異常検知が継続されていた場合には、Ｓ１０７にて運転者が異常状態にあるという正式判定（図４  Ｔ４）を行い、Ｓ１０８へ進む。
【０１００】
Ｓ１０８では、ＨＭＩシステム１０を用いて第二の報知を実施し、Ｓ１０９へ進む。Ｓ１０９では、周辺監視ＥＣＵ９１に退避場所の探索を開始させるよう探索要求情報を出力し、Ｓ１１０へ進む。Ｓ１１０では、自車両Ａを緩減速させる制動制御を開始し（図４  Ｔ５）、Ｓ１１１へ進む。
【０１０１】
Ｓ１１１では、自動退避制御への移行条件が成立したか否かを判定する。Ｓ１１１にて、ステアリングスイッチ１５ａの「Ｙｅｓ」ボタンの操作により、自動退避制御への移行が解除された場合、Ｓ１０１へ戻る。一方で、ステアリングスイッチ１５ａの「Ｎｏ」ボタンの操作によって自動退避制御への移行が同意された場合、及びステアリングスイッチ１５ａの操作が無いまま応答時間ＡＴが経過した場合には、Ｓ１１２へ進む。Ｓ１１２では、自動退避制御を開始し、一連の処理を終了する。Ｓ１１２により、他の車両Ａ１へ運転困難状態を報知するための処理として、車車間通信による警告配信、ハザードランプの点滅、及び走行用前照灯９５ａの点灯等が実施される（図７  Ｔ６）。
【０１０２】
次に、自動退避制御の開始後に制御回路２０ａによって実施される処理の詳細を、図１９〜図２１に基づき、図１及び図２を参照しつつ説明する。図１９〜図２１のフローチャートに示される処理は、運転困難状態が確定したことに基づいて、制御回路７０ａによって開始される。
【０１０３】
Ｓ１３１では、コンビネーションメータ１２、ＣＩＤ１３、及びＨＵＤ装置１４による各表示を、実行通知のための各報知表示１４０，１５０，１４６に切り替えて、Ｓ１３２へ進む。Ｓ１３２では、退避走行開始を通知する音声をオーディオスピーカ１１２に再生させ、Ｓ１３３へ進む（図７  Ｔ６，音声１）。
【０１０４】
Ｓ１３３では、自動退避制御による退避場所及び予定走行経路の設定が完了したか否かを判定する。Ｓ１３３では、退避場所等の設定が完了するまで待機し、退避場所等の設定が完了したことに基づき、Ｓ１３４へ進む。Ｓ１３４では、退避場所の設定完了を通知する音声をオーディオスピーカ１１２に再生させ、Ｓ１３５へ進む。
【０１０５】
Ｓ１３５では、自動退避制御の作動情報を取得し、自動退避制御にて現在実行中のプロセスが設定プロセスから移動プロセスに移行したか否かを判定する。Ｓ１３５では、移動プロセスへの移行が完了するまで待機し、移動プロセスへの移行が完了したことに基づき、Ｓ１３６へ進む。Ｓ１３６では、各進捗画像１４１，１５１を移動プロセスの実施中を示す表示へと変更した乗員報知表示１５０（図１４Ｂ及び図１５Ｂ参照）を生成し、Ｓ１３７へ進む。Ｓ１３７では、移動開始を通知する音声をオーディオスピーカ１１２に再生させ、Ｓ１３８へ進む（図７  Ｔ７，音声２）。
【０１０６】
Ｓ１３８では、予定走行経路の情報に基づき、車線変更が必要か否かを判定する。Ｓ１３８にて、車線変更が必要と判定した場合には、Ｓ１３９へ進む。Ｓ１３９では、車線変更が可能となるまで待機し、車線変更が可能となったことに基づき、Ｓ１４０へ進む。Ｓ１４０では、車線変更の開始を通知する音声をオーディオスピーカ１１２に再生させ、Ｓ１４１へ進む（図７  Ｔ８，音声３）。
【０１０７】
Ｓ１４１では、車線変更が完了したか否かを判定する。Ｓ１４１では、車線変更が完了するまで待機し、車線変更が完了したことに基づき、Ｓ１４２へ進む。Ｓ１４２では、車線変更の完了を通知する音声をオーディオスピーカ１１２に再生させ（図７  Ｔ９，音声４）、Ｓ１３８へ戻る。これにより、Ｓ１３８にて、再び車線変更の要否が判定される。
【０１０８】
Ｓ１３８にて、車線変更が不要と判定した場合には、Ｓ１４３へ進む。Ｓ１４３では、自動退避制御の作動情報を取得し、自動退避制御にて現在実行中のプロセスが移動プロセスから停車プロセスに移行したか否かを判定する。Ｓ１３５では、停車プロセスへの移行が完了するまで待機し、停車プロセスへの移行が完了したことに基づき、Ｓ１４４へ進む。Ｓ１４４では、各進捗画像１４１，１５１を移動プロセスの実施中を示す表示へと変更した乗員報知表示１５０（図１４Ｃ及び図１５Ｃ参照）を生成し、Ｓ１４５へ進む。Ｓ１４５では、退避場所への停止開始を通知する音声をオーディオスピーカ１１２に再生させ、Ｓ１４６へ進む（図７  Ｔ１０，音声５）。
【０１０９】
Ｓ１４６では、自車両Ａの走行速度に基づき、退避場所に停車したか否かを判定する。Ｓ１４６では、自車両Ａが停車状態となるまで待機し、停車状態となったとことに基づき、Ｓ１４７へ進む。Ｓ１４７では、退避場所に停車した旨を通知する音声をオーディオスピーカ１１２に再生させ、Ｓ１４８へ進む（図７  Ｔ１１，音声６）。
【０１１０】
Ｓ１４８では、自動退避制御の作動情報を取得し、自動退避制御にて現在実行中のプロセスが停車プロセスからコールプロセスに移行したか否かを判定する。Ｓ１４８では、コールプロセスへの移行が完了するまで待機し、コールプロセスへの移行が完了したことに基づき、Ｓ１４９へ進む。Ｓ１４９では、各進捗画像１４１，１５１を移動プロセスの実施中を示す表示へと変更した乗員報知表示１５０（図１４Ｄ及び図１５Ｄ参照）を生成し、Ｓ１５０へ進む。Ｓ１５０では、コールセンターへの連絡実施を通知する音声をオーディオスピーカ１１２に再生させ（図７  Ｔ１２，音声７）、一連の処理を終了する。
【０１１１】
ここまで説明した第一実施形態によれば、乗員報知表示１５０に含まれる進捗画像１５１により、複数のプロセスからなる自動退避における現在の進捗度合いが知らされる。故に、乗員は、自動退避制御の全体像と、自動退避制御の終わりをメージできるようになり得る。加えて、現在実行中のプロセスを説明画像１５２によって乗員に説明することで、乗員は、運転者に依らないで走行する自車両Ａの動きを概ね予測し得る。これらにより、乗員報知表示１５０は、自動退避制御によって走行している自車両Ａ内の乗員の不安を和らげることが可能となる。
【０１１２】
ここで、自動退避制御が開始された後において、運転者の回復する可能性が考慮され得る。故に、自動退避制御に係る情報は、運転者を除く乗員だけでなく、運転者にも提示されることが望ましい。そのため第一実施形態では、運転者に視認可能な表示画面１２ａ及び投影領域１４ａに表示させた運転者報知表示１４０，１４６により、自動退避制御の進捗は、運転者にも通知される。その結果、運転者にとっても分かり易い情報提示が実現される。
【０１１３】
また第一実施形態によれば、自動退避制御の作動時にとるべき対処行動として、退避走行の解除方法が案内される。故に、運転困難な状態から復帰した運転者は、案内画像１４３を参照することにより、適切な対処行動を行うことができる。また、こうした対処行動が乗員にも案内されることにより、乗員の不安は、いっそう取り除かれ得る。
【０１１４】
さらに第一実施形態によれば、各進捗画像１４１，１５１に示されるプロセスの数は、互いに同一とされている。故に、例えば運転困難な状態から復帰した運転者が、コンビネーションメータ１２及びＣＩＤ１３を共に視認したとしても、運転者は、混乱することなく現在の状況を把握し得る。
【０１１５】
また第一実施形態では、乗員によって視認されるＣＩＤ１３の背景部５１ａの色と、運転者にのみ視認されるコンビネーションメータ１２及び投影領域１４ａの各背景部４２ａ,４７ａの色とが互いに異なっている。故に、ＣＩＤ１３の緑色系の背景部５１ａによって、乗員の不安を和らげる一方で、赤色系の各背景部４２ａ,４７ａによって運転者の緊張感を高めて、対処を促す効果を得ることが可能になる。
【０１１６】
加えて第一実施形態によれば、点滅を繰り返す各進捗画像１４１，１５１は、運転者及び乗員を誘目することができる。故に、各進捗画像１４１，１５１よって示される現在実行中のプロセスは、運転者及び乗員に認識され易くなる。また、各進捗画像１４１，１５１には各説明画像１４２，１５２がそれぞれ重畳されている。故に、各進捗画像１４１，１５１の点滅は、各説明画像１４２，１５２への誘目も可能にする。さらに、各進捗画像１４１，１５１は、点滅表示されているものの、明るい状態を維持する時間を長く確保されている。故に、各説明画像１４２，１５２は、点滅する各進捗画像１４１，１５１と重ねられても、読み易い表示となり得る。
【０１１７】
また第一実施形態では、自車両Ａの進行方向を撮影した撮像画像１５４に、予定走行経路を明示する経路明示画像部１５５が重畳されている。故に、乗員報知表示１５０を視認した乗員は、自動退避制御によって走行予定の経路を予め知ることができる。その結果、乗員の不安の軽減が可能となる。
【０１１８】
さらに第一実施形態によれば、走行用前照灯９５ａの作動により、自車両Ａの周囲の車両に、自車両Ａが通常状態にない旨が通知され得る。加えて、走行用前照灯９５ａによる予定走行経路の照明により、撮像画像１５４は、予定走行経路を鮮明に表示することができる。
【０１１９】
加えて第一実施形態によれば、マップ画像１５６に示された自車アイコン１５６ａと停車アイコン１５６ｃとの位置関係から、乗員は、自車両Ａが停車する退避場所までの距離を、概ね把握可能となる。故に、乗員は、自動退避制御の終了をいっそうイメージし易くなる。こうした表示によれば、乗員の不安は、いっそう軽減され得る。
【０１２０】
また第一実施形態によれば、自動退避制御におけるプロセスの移行は、表示だけでなく、音声によっても乗員に報知される。故に、乗員への情報伝達の確度を高めて、乗員の不安をいっそう軽減させることが可能となる。
【０１２１】
さらに第一実施形態によれば、進捗画像１５１及び説明画像１５２は、表示画面１３ａのうちで運転席１７ｄ寄りに表示されている。故に、表示画面１３ａ周囲のインスツルメントパネル１９等に妨げられて進捗画像１５１等が見難くなる事態は、回避され得る。その結果、助手席１７ｐに着座する乗員は、助手席１７ｐのシート位置に係わらず、進捗画像１５１及び説明画像１５２を視認容易となる。故に、自動退避制御の進捗度合いを報知することによる進捗画像１５１及び説明画像１５２の不安を軽減させる効果は、確実に発揮されるようになる。
【０１２２】
尚、第一実施形態では、表示画面１２ａ及び投影領域１４ａがそれぞれ特許請求の範囲に記載の「第二表示領域」に相当し、表示画面１３ａが特許請求の範囲に記載の「表示領域」及び「第一表示領域」に相当する。また、情報取得部３１が特許請求の範囲に記載の「作動情報取得部」に相当し、オーディオスピーカ１１２が特許請求の範囲に記載の「音声再生装置」に相当し、メッセージ画像１５３が特許請求の範囲に記載の「案内画像」に相当する。さらに、Ｓ１３５，Ｓ１４３，Ｓ１４８が特許請求の範囲に記載の「作動情報取得ステップ」に相当し、Ｓ１３６，Ｓ１４４，Ｓ１４９が特許請求の範囲に記載の「表示生成ステップ」に相当する。そして、ＨＣＵ２０が特許請求の範囲に記載の「情報提示装置」に相当する。
【０１２３】
（第二実施形態）
図２２及び図２３に示す本発明の第二実施形態は、第一実施形態の変形例である。第二実施形態では、自動退避制御の実施通知における乗員報知表示２５０及び運転者報知表示２４０の表示形態が、第一実施形態とは異なっている。以下、第二実施形態における各報知表示の詳細を説明する。
【０１２４】
図２２に示す乗員報知表示２５０は、ＣＩＤ１３の表示画面１３ａに表示される。図２２Ａ〜図２２Ｄはそれぞれ、設定プロセス、移動プロセス、停車プロセス、及びコールプロセスにおける乗員報知表示２５０の態様を示しいている。乗員報知表示２５０には、第一実施形態と同様に、進捗画像２５１、説明画像２５２、メッセージ画像２５３、撮像画像２５４、及びマップ画像２５６が含まれている。
【０１２５】
進捗画像２５１は、「！」を示すアイコン、円環状の画像部、及び円弧状の画像部の組み合わせによって形成されている。円環状及び円弧状の各画像部は、アイコンの周囲を囲んでいる。円弧状の画像部は、円環状の画像部に重ねられている。円弧状の画像部の線幅は、円環状の画像部の線幅よりも太い。円環状の画像部は、自動退避制御におけるプロセスの進行に従い、円環状の画像部に沿って時計回りに延伸する。こうした表示により、進捗画像２５１は、自動退避制御における現在の進捗度合いを連続的に示すことができる。進捗画像２５１は、主に移動プロセス及び停車プロセスにおいて表示画面１３ａに表示される。
【０１２６】
説明画像２５２は、表示画面１３ａにおいて進捗画像２５１から離れた位置に表示されている。説明画像２５２は、点滅する背景に重ねられている。こうした点滅により、乗員の視線は、説明画像２５２へ誘導される。
【０１２７】
メッセージ画像２５３は、自動退避制御によって現在走行していることを、文字により案内している。メッセージ画像２５３には、自動退避制御を中止するための操作方法は、含まれていない。メッセージ画像２５３は、移動プロセス及び停車プロセスにおいて表示を省略される。
【０１２８】
撮像画像２５４は、第一実施形態の撮像画像１５４（図１４参照）と同様に、前方カメラユニット９２（図２参照）によって撮影された画像である。マップ画像２５６は、第一実施形態のマップ画像１５６（図１４参照）と同様に、自動退避制御によって設定された退避場所を乗員に示す画像であって、自車アイコン２５６ａ、道路画像部２５６ｂ、及び停車アイコン２５６ｃを含んでいる。マップ画像２５６は、撮像画像２５４に重ねて表示される。撮像画像２５４は、主に移動プロセス及び停車プロセスにおいて表示画面１３ａに表示される。マップ画像２５６は、主に移動プロセスにおいて表示画面１３ａに表示される。
【０１２９】
図２３に示す運転者報知表示２４０は、コンビネーションメータ１２の表示画面１２ａに表示される。図２３Ａ〜図２３Ｄはそれぞれ、設定プロセス、移動プロセス、停車プロセス、及びコールプロセスにおける運転者報知表示２４０の態様を示しいている。運転者報知表示２４０には、第一実施形態と同様に、進捗画像２４１、説明画像２４２、及び案内画像２４３ａ，２４３ｂが含まれている。
【０１３０】
進捗画像２４１は、乗員報知表示２５０の進捗画像２５１（図２２参照）と実質同一形態の画像であって、自動退避制御のプロセスの移行に伴って、円弧状の画像部を時計回りに延伸させる。こうした表示により、進捗画像２４１は、自動退避制御における現在の進捗度合いを示すことができる。説明画像２４２は、表示画面１２ａにおいて進捗画像２４１から離れた位置に表示されている。説明画像２４２は、進捗画像２４１の側方（例えば左側）に配置されている。
【０１３１】
案内画像２４３ａは、自動退避制御によって現在走行していることを、文字によって案内する画像である。案内画像２４３ａは、進捗画像２４１の左側に配置されている。一方、案内画像２４３ｂは、実行中の自動退避制御への対処行動を、文字によって案内する画像である。案内画像２４３ｂは、進捗画像２４１の右側に配置されている。第二実施形態では、対処行動を案内する画像は、運転者報知表示２４０及び乗員報知表示２５０（図２２参照）のうちで、運転者報知表示２４０のみに含まれている。
【０１３２】
ここまで説明した第二実施形態でも、第一実施形態と同様の効果を奏することにより、乗員の不安を和らげることが可能となる。加えて第二実施形態では、自動退避制御を中止する対処方法は、運転者のみに伝わるよう、コンビネーションメータ１２及びＣＩＤ１３のうちで、コンビネーションメータ１２にのみ表示される。こうした表示によれば、自動退避制御への移行後に、焦った乗員によって、誤った判断に基づく対処行動が実施される事態を回避することができる。
【０１３３】
（第三実施形態）
図２４に示す本発明の第三実施形態は、第一実施形態の別の変形例である。第三実施形態では、自動退避制御の実施通知における進捗画像３５１が、第一実施形態の進捗画像１５１（図１４参照）とは異なっている。図２４Ａ〜図２４Ｄはそれぞれ、設定プロセス、移動プロセス、停車プロセス、及びコールプロセスにおける進捗画像３５１の態様を示しいている。
【０１３４】
進捗画像３５１は、複数に分割させた領域のうちで、現在実行中のプロセスに対応した領域３５１ａを外周側にずらすことにより、他の領域から離れた位置に表示させる。領域３５１ａは、点滅表示されると共に、他の領域よりも径方向に拡大されている。また、領域３５１ａと重ねられる説明画像３５２は、領域３５１ａと共に外周側に移動し、且つ、拡大して表示される。自動退避制御のプロセスが次へ移行されると、領域３５１ａは、縮小されると共に、他の領域と一体化される。進捗画像３５１は、自動退避制御のプロセスが進むことにより、領域３５１ａを時計回りに移動させることで、自動退避制御における現在の進捗度合いを分かり易く示すことができる。
【０１３５】
ここまで説明した第三実施形態でも、第一実施形態と同様の効果を奏することにより、乗員の不安を和らげることが可能となる。また第三実施形態では、コンビネーションメータ１２に表示される進捗画像１４１（図１５参照）についても、進捗画像３５１と同様に、特定の領域３５１ａを拡大する表示態様とすることが可能である。
【０１３６】
（第四実施形態）
図２５に示す本発明の第四実施形態は、第一実施形態のさらに別の変形例である。第四実施形態の進捗画像４５１に示される自動退避制御のプロセスの数（六つ）は、第一実施形態の進捗画像１５１（図１４参照）に示されるプロセスの数（四つ）よりも、多くされている。故に、ＣＩＤ１３に表示の進捗画像４５１に示されるプロセスの数は、コンビネーションメータ１２に表示の進捗画像１４１（図１５参照）に示されるプロセスの数よりも、多くなっている。
【０１３７】
ここまで説明した第四実施形態でも、第一実施形態と同様の効果を奏することにより、乗員の不安を和らげることが可能となる。加えて第四実施形態では、運転者へ向けて表示される進捗画像１４１（図１５参照）よりも、助手席１７ｐ（図１参照）の乗員へ向けて表示される進捗画像４５１の方が、退避走行機能によって実施されるプロセスを詳細に提示し得る。こうした詳細な情報提示は、乗員の不安解消に寄与可能である。尚、進捗画像４５１に示される数は、適宜変更可能である。例えば、車線変更を複数回繰り返す予定であれば、進捗画像４５１は、車線変更の予定回数だけ、領域の数を増やすことが可能である。
【０１３８】
（第五実施形態）
図２６〜図２９に示す本発明の第五実施形態は、第一実施形態のさらに別の変形例である。第五実施形態では、自車両Ａの車載ネットワーク５０１に含まれる空調システム１８０及びシートコントローラ１８６が、退避走行時において運転者及び乗員への情報提示にさらに用いられる。加えて、第五実施形態によるＨＭＩシステム１０は、音声による情報通知を行う音響デバイスとして、二組の超音波スピーカ１１３，１１４を備えている。以下、第五実施形態の構成を、図２６及び図２７に基づき、図１を参照しつつ説明する。
【０１３９】
空調システム１８０は、運転者及び乗員によって設定された空調関連の設定値等を含む空調要求情報をＨＣＵ２０から取得し、車室内の温度、清浄、及び気流等を調整する車両用の冷暖房システムである。空調システム１８０は、エアコンユニット１８２、アロマユニット１８３、及び空調制御ＥＣＵ１８１を備えている。
【０１４０】
エアコンユニット１８２は、インスツルメントパネル１９等に設けられた各吹出口１９ｄ,１９ｐから車室内に供給される温風及び冷風を生成する。エアコンユニット１８２は、運転席１７ｄの周辺へ向けて吹出口１９ｄから吹き出される空気の温度と、助手席１７ｐの周辺へ向けて吹出口１９ｐから吹き出される空気の温度とを個別に変更することが可能である。
【０１４１】
アロマユニット１８３は、芳香（アロマ）成分を含むエッセンシャルオイル等のアロマオイルを霧状にする。アロマユニット１８３によって霧状にされた芳香成分は、エアコンユニット１８２によって生成された気流と混ぜられて、少なくとも助手席１７ｐ側の吹出口１９ｐから車室内へと供給される。車室内に拡散された芳香成分は、乗員のストレスを軽減する効果を発揮し得る。
【０１４２】
空調制御ＥＣＵ１８１は、プロセッサ及びメモリを有するマイクロコンピュータを主体として構成されている。空調制御ＥＣＵ１８１は、通信バス９９と接続されており、ＨＣＵ２０から通信バス９９に出力された空調要求情報を受信する。空調制御ＥＣＵ１８１は、エアコンユニット１８２及びアロマユニット１８３と接続されており、取得した空調要求情報に基づいて、エアコンユニット１８２及びアロマユニット１８３の作動を制御する。
【０１４３】
シートコントローラ１８６は、運転席１７ｄ及び助手席１７ｐに関連する機器、例えば各シートアクチュエータ１８７，１８８及びシートヒータ１８９等の動作を統合的に制御する制御装置である。シートコントローラ１８６は、プロセッサ及びメモリを有するマイクロコンピュータを主体として構成されている。シートコントローラ１８６は、通信バス９９を通じてＨＣＵ２０から出力されたシート要求情報を受信し、シート要求情報に基づいて各シートアクチュエータ１８７，１８８及びシートヒータ１８９の作動を制御する。
【０１４４】
シートアクチュエータ１８７は、運転席１７ｄの前後位置、並びにシートクッション及びシートバック等の姿勢を変化させることにより、運転席１７ｄのシートポジションの調整を可能にしている。シートアクチュエータ１８８は、助手席１７ｐの前後位置、並びにシートクッション及びシートバック等の姿勢を変化させることにより、助手席１７ｐのシートポジションの調整を可能にしている。シートヒータ１８９は、助手席１７ｐのシートクッション及びシートバックを温めることができる。
【０１４５】
超音波スピーカ１１４は、自車両Ａの車室内にて、助手席１７ｐの前方且つウインドシールド１８の上方に、一対設置されている。超音波スピーカ１１４は、運転席１７ｄ側に設けられた超音波スピーカ１１３と実質同一の構成である。超音波スピーカ１１４は、助手席１７ｐのヘッドレスト付近へ向けて、指向性の高い超音波を出力する。超音波スピーカ１１４は、自車両Ａの乗員のうちで、助手席１７ｐに着座する運転者のみによって聞き取り可能な音声を再生する。超音波スピーカ１１４は、再生する音声によって助手席１７ｐの乗員のみに情報通知を行うことができる。
【０１４６】
ＨＣＵ２０の制御回路２０ａは、メモリ２３に記憶されたプログラムを各プロセッサ２１，２２によって実行することにより、第一実施形態と実質同一の各機能ブロック（３１〜３６）に加えて、空調制御要求部１３７及びシート制御要求部１３８を構築する。
【０１４７】
空調制御要求部１３７は、空調制御ＥＣＵ１８１へ向けて空調要求情報を出力することにより、エアコンユニット１８２及びアロマユニット１８３の作動を制御する。空調制御要求部１３７は、プレ退避制御及び自動退避制御の作動情報が取得された場合に、運転者及び乗員へ向けて吹き出される気流の温度を個別に調整すると共に、助手席１７ｐ周辺へ向けた芳香成分の散布を開始させる。
【０１４８】
シート制御要求部１３８は、シートコントローラ１８６へ向けてシート要求情報を出力することにより、各シートアクチュエータ１８７，１８８及びシートヒータ１８９の作動を制御する。シート制御要求部１３８は、プレ退避制御及び自動退避制御の作動情報が取得された場合に、運転席１７ｄ及び助手席１７ｐの各シートポジションを個別に調整すると共に、助手席１７ｐの昇温を開始させる。
【０１４９】
以上の構成により、プレ退避制御及び自動退避制御の実行中に運転者及び乗員へ対して行われる情報提示の詳細を、以下説明する。まず、プレ退避制御における第一の報知及び第二の報知の詳細を、図２８に基づき、図１を参照しつつ説明する。尚、第五実施形態での各表示デバイスによる表示は、第一実施形態と実質同一である。
【０１５０】
異常状態の仮判定（Ｔ３）に基づく第一の報知では、二組の超音波スピーカ１１３，１１４のうちで、運転席１７ｄ側に設けられた超音波スピーカ１１３のみから通知音が再生される。超音波スピーカ１１３によって再生される通知音は、運転者に緊張を促すような例えば２キロヘルツ程度の比較的高い音に設定されている。加えて第一の報知では、運転席１７ｄの正面に設けられた吹出口１９ｄから、運転者の緊張感を高めるように、現在の室温よりも低い温度の冷風の吹き出しが行われる。
【０１５１】
異常状態の正式判定（Ｔ４）に基づく第二の報知では、正式判定に基づく通知音が二組の超音波スピーカ１１３，１１４のそれぞれから再生される。助手席１７ｐ側に設けられた超音波スピーカ１１４によって再生される通知音は、乗員の不安感を高めないように、超音波スピーカ１１３によって再生される通知音よりも低音であって、異なる高さの音を複数組み合わせた和音とされている。各超音波スピーカ１１３，１１４は、それぞれ通知音に続けて、「姿勢崩れを検出しました。まもなく退避走行に移行します。解除する場合は、ステアリングのスイッチを押して下さい」といった自動運転制御への移行を予告するガイド音声を再生する。
【０１５２】
加えて第二の報知では、助手席１７ｐの正面に設けられた吹出口１９ｐから、乗員の安心感を高めるように、現在の室温よりも高い温度の温風の吹き出しが行われる。さらに吹出口１９ｐからは、乗員の緊張を和らげる効果のある芳香成分が、アロマユニット１８３（図２６参照）の作動によって供給される。
【０１５３】
また第二の報知では、運転者の両腕及び背中等の筋を動かして固有知覚を刺激するように、運転席１７ｄのシートポジションを変動させる動作がシートアクチュエータ１８７（図２６参照）によって実行される。一方で、助手席１７ｐのシートポジションは、例えばシートバックをさらに後傾させる等の作動により、乗員をリラックスさせる状態に変更される。加えて、シートヒータ１８９（図２６参照）の作動により、助手席１７ｐの昇温が図られる。
【０１５４】
次に、自動退避制御における実行通知の詳細を、図２８及び図２６に基づき、図１を参照しつつ説明する。
【０１５５】
運転困難状態の確定判定に基づく実行通知においては、自動退避制御のプロセスの移行に伴って、各超音波スピーカ１１３，１１４は、プロセスの完了を通知する通知音と、音声メッセージとを続けて再生する。各超音波スピーカ１１３，１１４によって再生される各通知音は、プレ退避制御の実行時と同様に互いに異なっている。一方で、各超音波スピーカ１１３，１１４によって再生される音声メッセージは、互いに実質同一の内容であり、第一実施形態にてオーディオスピーカ１１２（図２参照）により再生される音声メッセージとも実質同一の内容である。
【０１５６】
具体的に、実行通知の開始時には、各超音波スピーカ１１３，１１４は、「退避走行を開始します」という音声メッセージを各通知音に続けて再生する（Ｔ６，音声１）。そして、退避場所及び予定走行経路の設定の完了により、各超音波スピーカ１１３，１１４は、「退避場所を設定しました」という音声メッセージを再生する（Ｔ７，音声２）。
【０１５７】
さらに、車線変更の開始時には、「車線変更を開始します。中止する場合はハザードスイッチを二回押して下さい。周囲の車に退避走行を通知しています」という音声メッセージが各超音波スピーカ１１３，１１４によって再生される（Ｔ８，音声３）。そして、車線変更が完了すると、「車線変更を完了しました」という音声メッセージが再生される（Ｔ９，音声４）。
【０１５８】
移動プロセスから停車プロセスへの移行時には、「間もなく安全な場所に停車します」という音声メッセージが再生される（Ｔ１０，音声５）。その後、退避場所に停車すると、「退避場所に停車しました」という音声メッセージが再生される（Ｔ１１，音声６）。このとき、運転者の緊張感を高めるために行われていた吹出口１９ｄからの冷風の吹き出しと、運転席１７ｄのシートポジションの変動とが共に終了される。一方で、乗員に安心感を抱かせるための吹出口１９ｐからの温風及び芳香成分の吹き出しと、助手席１７ｐのシートポジション及びシート温度の調整は、共に継続される。そして、停車プロセスからコールプロセスへの移行時には、「コールセンターに退避場所を連絡しました」という音声メッセージが、助手席１７ｐ側の超音波スピーカ１１４のみから再生される（Ｔ１２，音声７）。
【０１５９】
ここまで説明した第五実施形態でも、第一実施形態と同様の効果を奏することにより、退避走行中における乗員の不安を和らげることが可能となる。加えて第五実施形態では、助手席１７ｐに着座する乗員を落ち着かせるために、乗員周囲の温度及びアロマ環境等が整えられる。以上によれば、退避走行中における乗員の不安は、いっそう緩和可能になる。
【０１６０】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【０１６１】
上記実施形態において、運転者又は乗員によってハザードスイッチ１５ｂ（図１参照）が一回のみ押された場合、ＣＩＤ１３及びコンビネーションメータ１２の各表示は、それぞれ図３０及び図３１に示すような態様に変更される。具体的には、「中止はハザード２回押す」とされていたメッセージ画像１５３及び案内画像１４３は、（図１４Ａ及び図１５Ａ参照）は、「あと１回ハザードを押して中止」というメッセージ画像及び案内画像１４３に変更される。
【０１６２】
以上のように、運転者又は乗員による操作の入力に対して表示態様の変更という反応があれば、運転者及び乗員は、自車両Ａのシステムの正常作動を実感できる。その結果、運転者及び乗員は、安心感を得ることができる。加えて、ハザードスイッチ１５ｂへの操作入力が行われた場合には、ＣＩＤ１３及びコンビネーションメータ１２は、操作の受け付けを強調して伝えるような点滅表示を行うことも可能である。
【０１６３】
図３２には、上記実施形態の変形例１による進捗画像６５１及び説明画像６５２が示されている。進捗画像６５１は、横長の矩形状に形成された枠状の画像部と、枠状の画像部内に位置するバー状の画像部とを有している。進捗画像６５１は、自動退避制御におけるプロセスの進行に従い、枠状の画像部内にて、バー状の画像部を一方の端部から他方の端部へ向けて延伸させる。こうした表示により、進捗画像６５１は、自動退避制御における現在の進捗度合いを示すことができる。また、説明画像６５２は、進捗画像６５１の下側に配置されており、現在実行されているプロセスを示すことができる。
【０１６４】
図３３には、上記実施形態の変形例２による乗員報知表示７５０が示されている。乗員報知表示７５０は、縦長に形成されたＣＩＤの表示画面７１３ａに表示される。乗員報知表示７５０は、表示画面７１３ａに形状に合わせて、縦長形状の画像とされている。具体的に乗員報知表示７５０では、上方から下方へ向けて、メッセージ画像７５３、撮像画像７５４、及びマップ画像７５６が順に並べられている。こうした各画像の配置により、乗員報知表示７５０は、表示画面７１３ａの広さを有効に活用して、乗員への見易い情報提示を実現できる。また、マップ画像７５６よりも上方に配置される撮像画像７５４は、ウインドシールド１８（図１参照）に近接して位置し得る。その結果、乗員は、撮像画像７５４によるＡＲ（Augmented Reality）表示と、ウインドシールド１８（図１参照）を通して見える前景とを、関連付け易くなる。
【０１６５】
また、図３４には、上記実施形態の変形例３による乗員報知表示８５０が示されている。乗員報知表示８５０は、小型に形成されたＣＩＤの表示画面８１３ａに表示される。こうした表示画面８１３ａの形状に合わせて、乗員報知表示８５０からは、撮像画像が省略されている。以上のように、表示画面のサイズに応じて、撮像画像、マップ画像、及びメッセージ画像は、乗員報知表示からの省略が可能である。また、表示画面が狭い構成でれば、乗員による設定により、表示される画像は選択可能であってもよい。さらに、例えば撮像画像とマップ画像が、数秒毎に切り替わる表示であってもよい。
【０１６６】
上記実施形態のような自動退避制御の作動を体験したことのない乗員は、緊急時の自動退避制御の作動に対して不安を抱き易くなる。故に、ＨＣＵは、例えば自車両Ａが静止状態にある場合に、プレ退避制御及び自動退避制御の実行時に行われる各プロセスについて、事前に擬似体験するデモモードを実施可能であってもよい。
【０１６７】
上記実施形態では、ＤＳＭにより、運転者の姿勢崩れ等の異常状態が検知されていた。しかし、運転者の情報を検知する構成は、ＤＳＭに限定されない。例えば、運転者に装着されたウェアラブルデバイスから送信される運転者の生体情報に基づいて、車両制御ＥＣＵは、運転者の異常状態を判定可能である。生体情報としては、例えば脈拍数、心拍数、及び体温等の情報である。
【０１６８】
上記実施形態では、ハザードスイッチを二回押すことにより、自動退避制御におけるオーバーライド禁止は、解除可能であった。しかし、オーバーライド禁止を解除する操作は、ハザードスイッチの複数回の押圧操作に限定されず、適宜変更可能である。また、自動退避制御中のオーバーライド禁止は、解除不可能とされていてもよい。さらに、プレ退避中のオーバーライドを禁止することが可能である。
【０１６９】
上記実施形態では、自動退避制御による自動運転への移行後に、表示デバイス及び音響デバイスにより、乗員への報知が実施されていた。しかし、乗員への報知は、表示デバイスのみによって実施されてもよい。さらに、運転者への報知は、コンビネーションメータ及びＨＵＤ装置の両方によって実施されていたが、いずれか一方の表示デバイスによって実施されてもよい。又は、運転者への報知は、実施されなくてもよい。或いは、ウインドシールド１８（図１参照）の全体を表示領域として使用した運転者及び乗員への報知が実施されてもよい。
【０１７０】
上記実施形態では、運転者を除く自車両の乗員として、助手席に着座する乗員へ情報を提示するために、ＣＩＤの表示画面を「表示領域」とした乗員報知表示が表示されていた。しかし、例えば、自車両の後席に着座する乗員へ情報提示するために、リアエンターテイメントシステムのモニタの表示画面を「表示領域」として、乗員報知表示が表示されてもよい。また、電子ミラーシステムのモニタの表示画面を「表示領域」として、乗員報知表示が表示されてもよい。
【０１７１】
上記実施形態において、ＨＣＵ２０の各プロセッサ２１，２２によって提供されていた機能は、上述のものとは異なるハードウェア及びソフトウェア、或いはこれらの組み合わせによって提供可能である。例えば、ＨＣＵ２０が省略された車載ネットワークにおいては、本発明による情報提示方法を適用された表示を実現するため処理の一部又は全部は、車両制御ＥＣＵのプロセッサ、又は表示デバイスに設けられたプロセッサによって実行可能である。
【符号の説明】
【０１７２】
１２ａ  表示画面（第二表示領域）、１３ａ，７１３ａ，８１３ａ  表示画面（表示領域，第一表示領域）、１４ａ  投影領域（第二表示領域）、２０  ＨＣＵ（情報提示装置）、２１  メインプロセッサ（プロセッサ）、２２  描画プロセッサ（プロセッサ）、３１  情報取得部（作動情報取得部）、３２  画像取得部、３３  照明要求部、３４  再生要求部、３５  表示生成部、３６  緊急通報部、４２ａ，４７ａ，５１ａ  背景部、９５ａ  走行用前照灯、１１２  オーディオスピーカ（音声再生装置）、１４０，１４６，２４０  運転者報知表示、１４１  進捗画像、１４３，２４３ｂ  案内画像、１５０，２５０，７５０，８５０  乗員報知表示、１５１，２５１，３５１，４５１，６５１  進捗画像、１５２，２５２，３５２，６５２  説明画像、１５３  メッセージ画像（案内画像）、１５４，２５４，７５４  撮像画像、１５５  経路明示画像部、１５６，２５６，７５６  マップ画像、Ａ  自車両、Ａ１  他の車両、ＷＤ  幅方向
【図１】
0006292218.tif 000002
【図２】
0006292218.tif 000003
【図３】
0006292218.tif 000004
【図４】
0006292218.tif 000005
【図５】
0006292218.tif 000006
【図６】
0006292218.tif 000007
【図７】
0006292218.tif 000008
【図８】
0006292218.tif 000009
【図９】
0006292218.tif 000010
【図１０】
0006292218.tif 000011
【図１１】
0006292218.tif 000012
【図１２】
0006292218.tif 000013
【図１３】
0006292218.tif 000014
【図１４】
0006292218.tif 000015
【図１５】
0006292218.tif 000016
【図１６】
0006292218.tif 000017
【図１７】
0006292218.tif 000018
【図１８】
0006292218.tif 000019
【図１９】
0006292218.tif 000020
【図２０】
0006292218.tif 000021
【図２１】
0006292218.tif 000022
【図２２】
0006292218.tif 000023
【図２３】
0006292218.tif 000024
【図２４】
0006292218.tif 000025
【図２５】
0006292218.tif 000026
【図２６】
0006292218.tif 000027
【図２７】
0006292218.tif 000028
【図２８】
0006292218.tif 000029
【図２９】
0006292218.tif 000030
【図３０】
0006292218.tif 000031
【図３１】
0006292218.tif 000032
【図３２】
0006292218.tif 000033
【図３３】
0006292218.tif 000034
【図３４】
0006292218.tif 000035